(57)【要約】【課題】乾式で取り付けた壁材が荷重により位置ズレを生じるのを防止する。【解決手段】変位防止金具は、頭頂面にネジ穴が形成され軸部が壁面に埋め込まれるボルトと、前記ボルトの頭頂面に当接され固定位置を調整可能に長孔が空けられた縦片、前記縦片の上端から前記壁面に向かって延びる上片、及び前記縦片の下端から前記壁面と反対側に延びる下片を有する支持金具と、前記支持金具の長孔を通して前記ボルトの頭頂面に螺合させることで前記支持金具の位置を固定する小ネジと、前記支持金具の上片から前記ボルトの頭側面に向けて延設される固定ネジと、を有し、前記固定ネジは、前記支持金具の下片に載置された壁材の荷重によって前記支持金具の位置が下がらないように、前記ボルトの頭側面を押し付けることで前記ボルトの緩みを止める。【選択図】図１
2018172864.tif 000002
【特許請求の範囲】
【請求項１】
頭頂面にネジ穴が形成され軸部が壁面に埋め込まれるボルトと、
前記ボルトの頭頂面に当接され固定位置を調整可能に長孔が空けられた縦片、前記縦片の上端から前記壁面に向かって延びる上片、及び前記縦片の下端から前記壁面と反対側に延びる下片を有する支持金具と、
前記支持金具の長孔を通して前記ボルトの頭頂面に螺合させることで前記支持金具の位置を固定する小ネジと、
前記支持金具の上片から前記ボルトの頭側面に向けて延設される固定ネジと、を有し、
前記固定ネジは、前記支持金具の下片に載置された壁材の荷重によって前記支持金具の位置が下がらないように、前記ボルトの頭側面を押し付けることで前記ボルトの緩みを止める、
ことを特徴とする変位防止金具。
【請求項２】
前記ボルトは、頭頂面に緩み止めナットを埋設することでネジ穴が形成される、
ことを特徴とする請求項１に記載の変位防止金具。
【請求項３】
前記固定ネジは、前記支持金具の上片を貫通しダブルナットによって位置が固定される、
ことを特徴とする請求項１又は２に記載の変位防止金具。
【請求項４】
前記ボルトは、前記壁面に取り付けた不陸調整金具を介して前記壁面に埋め込まれる、
ことを特徴とする請求項１乃至３の何れか一に記載の変位防止金具。
【発明の詳細な説明】
【技術分野】
【０００１】
本発明は、乾式で取り付けた壁材が荷重により位置ズレを生じるのを防止するための変位防止金具に関する。
【背景技術】
【０００２】
建物の壁面には、モルタル等を使用してタイル等の壁材を貼り付ける湿式のものと、タイル等の壁材を下地材に接着又は引っ掛けて取り付ける乾式のものがある。湿式の場合、乾燥などにより工期も長くなり、職人の技量により品質に差が生じるが、乾式の場合、一定の品質も確保でき、工期も短縮できるので、建築業界においては湿式から乾式にシフトする傾向にある。特許文献１に記載されているように、壁面に打ち込まれたアンカーとの位置関係を容易に調整するとともに内壁材を確実に位置決め可能な二重壁支持材料の発明も公開されている。
【先行技術文献】
【特許文献】
【０００３】
【特許文献１】特開平０８−２６０６５８号公報
【発明の概要】
【発明が解決しようとする課題】
【０００４】
しかしながら、特許文献１に記載の発明の場合、アンカーとの上下方向の位置関係を調整するためのルーズホールに固定ボルトを通して内壁材を支持しているが、いくら強固に締めたとしても、震動により弛むこともあり、常に内壁材の荷重が掛かった状態では、次第に位置ズレが生じてしまう。
【０００５】
そこで、本発明は、乾式で取り付けた壁材が荷重により位置ズレを生じるのを防止するための変位防止金具を提供することを目的とする。
【課題を解決するための手段】
【０００６】
上記の課題を解決するために、本発明である変位防止金具は、頭頂面にネジ穴が形成され軸部が壁面に埋め込まれるボルトと、前記ボルトの頭頂面に当接され固定位置を調整可能に長孔が空けられた縦片、前記縦片の上端から前記壁面に向かって延びる上片、及び前記縦片の下端から前記壁面と反対側に延びる下片を有する支持金具と、前記支持金具の長孔を通して前記ボルトの頭頂面に螺合させることで前記支持金具の位置を固定する小ネジと、前記支持金具の上片から前記ボルトの頭側面に向けて延設される固定ネジと、を有し、前記固定ネジは、前記支持金具の下片に載置された壁材の荷重によって前記支持金具の位置が下がらないように、前記ボルトの頭側面を押し付けることで前記ボルトの緩みを止める、ことを特徴とする。
【０００７】
また、前記変位防止金具において、前記ボルトは、頭頂面に緩み止めナットを埋設することでネジ穴が形成される、ことを特徴とする。
【０００８】
また、前記変位防止金具において、前記固定ネジは、前記支持金具の上片を貫通しダブルナットによって位置が固定される、ことを特徴とする。
【０００９】
また、前記変位防止金具において、前記ボルトは、前記壁面に取り付けた不陸調整金具を介して前記壁面に埋め込まれる、ことを特徴とする。
【発明の効果】
【００１０】
本発明によれば、タイル等の壁材がコンクリート等の壁面に対して乾式で取り付けられている場合に、壁材の荷重を受けている支持金具が震動等により弛んで位置ズレを起こすことを防止できる。支持金具に空けられた位置調整用のルーズホールに、壁面から延びたアンカーを通してネジ留めしていても、固定ネジがアンカーと支持金具とを押さえるため位置ズレが生じない。
【図面の簡単な説明】
【００１１】
【図１】本発明である変位防止金具を用いた壁面を横から見た断面図である。
【図２】本発明である変位防止金具の不陸調整金具を示す斜視図である。
【図３】本発明である変位防止金具のボルトを示す斜視図である。
【図４】本発明である変位防止金具の不陸調整金具にボルトを挿通した状態を示す斜視図である。
【図５】本発明である変位防止金具の支持金具を示す斜視図である。
【図６】本発明である変位防止金具のボルトに支持金具を固定した状態を示す斜視図である。
【図７】本発明である変位防止金具の固定ネジでボルトを押さえ付けた状態を示す斜視図である。
【発明を実施するための形態】
【００１２】
以下に、本発明の実施形態について図面を参照して詳細に説明する。同一機能を有するものは同一符号を付け、その繰り返しの説明は省略する場合がある。
【実施例１】
【００１３】
まず、本発明である変位防止金具を用いた壁面について説明する。なお、壁面から外側を向く方が表側（前側）、壁面を向く方が裏側（後側）とする。
【００１４】
図１は、変位防止金具を用いた壁面を横から見た断面図である。図２は、変位防止金具の不陸調整金具を示す斜視図である。図３は、変位防止金具のボルトを示す斜視図である。図４は、変位防止金具の不陸調整金具にボルトを挿通した状態を示す斜視図である。図５は、変位防止金具の支持金具を示す斜視図である。図６は、変位防止金具のボルトに支持金具を固定した状態を示す斜視図である。図７は、変位防止金具の固定ネジでボルトを押さえ付けた状態を示す斜視図である。
【００１５】
図１に示すように、変位防止金具１００は、コンクリート等の壁面６００に乾式でタイル等の壁材７００を取り付けるために使用する。変位防止金具１００は、例えば、壁面６００に空けた埋込用穴６１０にボルト４００を挿し込み、壁材７００を載置又は係止した支持金具２００をボルト４００に固定したときに、地震などの振動により徐々にボルト４００への固定が緩んで、支持金具２００に位置ズレが生じないように保持する。
【００１６】
壁面６００としては、鉄筋コンクリート構造（ＲＣ造）の他、ＡＬＣ（高温高圧蒸気養生された軽量気泡コンクリート）やＥＣＰ（押出形成セメント板）などの壁パネルを複数並べて繋げたものでも良い。
【００１７】
壁面６００には、コンクリート等が打設されるが、表面が平らではなく凹凸がある場合には、不陸調整金具５００を取り付けた上で変位防止金具１００を使用しても良い。また、壁面６００の状態によっては、変位防止金具１００が取り付けづらい場合もあるので、不陸調整金具５００を介して取り付ければ良い。
【００１８】
図２に示すように、不陸調整金具５００は、壁面６００の埋込用穴６１０が来る位置に合わせて、貫通孔５１０が空けられ、ボルト４００が挿通される。貫通孔５１０の内周面はネジ穴状にし、ボルト４００を螺合させて軸の先端が埋込用穴６１０の中に入っていけば良い。
【００１９】
なお、不陸調整金具５００は、壁面６００にビス５２０を直接に捻じ込むことにより固定しても良いが、コンクリート等が崩れたりするのを抑えるために、先にプラグを埋め込んだ上で、そこにビス５２０を捻じ込んでプラグを広く食い込ませることにより、強く固定しても良い。
【００２０】
図３に示すように、ボルト４００は、頭部４１０と軸部４２０を有し、軸部４２０が壁面６００に埋め込まれる。ボルト４００としては、頭部４１０が六角形状の六角ボルトや、頭部４１０に形成された六角穴に六角レンチ（六角棒スパナ）を挿して回転させる六角穴付きボルトを使用すれば良い。
【００２１】
また、壁面６００の埋込用穴６１０又は不陸調整金具５００の貫通孔５１０にボルト４００を挿し込む際にナット４５０及びワッシャを介すことにより、ナット４５０でボルト４００が緩まないように留めても良い。
【００２２】
図４に示すように、ボルト４００の頭部４１０には、ボルト４００より小さい小ネジ４４０を螺合可能に、頭頂面４１１から軸方向にネジ穴４３０が空けられる。なお、ボルト４００が六角穴付きボルトの場合、六角穴と同サイズの外形を有するナットを嵌め込み、抜けないように加工することにより、ネジ穴４３０が形成されても良い。
【００２３】
さらに、ボルト４００に形成するネジ穴４３０や六角穴に嵌め込むナットを緩み止めの構造を有するものにしても良い。例えば、緩み止めナットの場合、内周側に突出する板バネ等の突起を設けて小ネジ４４０を押さえ付ける等して、一度締めたら緩まないようにすれば良い。また、小ネジ４４０の方に緩み止めの構造を設けても良い。
【００２４】
また、ボルト４００の頭部４１０には、上方から固定ネジ３００の軸が押し付けられるので、六角ボルトのように頭部４１０が多角形状の場合は、頭側面４１２のうち角ではなく平坦な面が上側に来るように、ボルト４００を固定する。ナット４５０を不陸調整金具５００側に締めることにより、ボルト４００が回転しないように固定すれば良い。
【００２５】
図５に示すように、支持金具２００は、壁材７００を載せるために金属板をクランク状に折り曲げて、縦片２１０、上片２３０、及び下片２５０を有するように加工したものである。縦片２１０は、壁面６００と壁材７００の間にそれらと平行に配置される中央の部分であり、縦方向に長い長孔２２０が空けられる。上片２３０は、縦片２１０の上端から壁面６００に向かって延びる部分であり、ネジ穴状の上孔２４０が空けられる。下片２５０は、縦片２１０の下端から壁材７００に向かって（壁面６００と反対側に）延びる部分であり、下孔２６０が空けられる。
【００２６】
支持金具２００の横幅は任意の長さであり、複数個用いて壁材７００を保持しても良い。縦片２１０の縦の長さも任意であり、長孔２２０についても取り付ける位置を調整する上で必要な長さがあれば良い。上片２３０の後側に突出する長さは、壁面６００と壁材７００の間にできる隙間に影響するので、できるだけ短くした方が良いが、固定ネジ３００を留めるのに必要な長さがあれば良い。下片２５０の前側に突出する長さは、壁材７００が載るように壁材７００の厚さ程度があれば良い。
【００２７】
図６に示すように、支持金具２００の縦片２１０に空けられた長孔２２０は、小ネジ４４０を通すためのルーズホールである。壁面６００及び不陸調整金具５００から垂立するボルト４００の頭頂面４１１が縦片２１０の裏側から当接され、表側からワッシャを介して小ネジ４４０をネジ穴４３０に螺合させるときに、間に挟まれた支持金具２００を締め付けて固定させる位置を調整することが可能である。
【００２８】
ボルト４００を壁面６００から突出させる長さによって、壁材７００と壁面６００の距離（隙間）が調整される。ただし、支持金具２００の上片２３０の長さや、ボルト４００の頭部４１０の高さ及びナット４５０の高さなどにより範囲が制限される。
【００２９】
図７に示すように、支持金具２００の上片２３０に空けられた上孔２４０は、上方から固定ネジ３００を螺合させ、貫通した軸がボルト４００の頭側面４１２に当たる位置に空けられる。なお、固定ネジ３００を捻じ込む際にダブルナット３１０を介すことにより、ボルト４００の頭側面４１２まで延設された固定ネジ３００が緩まないように固定しても良い。
【００３０】
また、支持金具２００の下片２５０に空けられた下孔２６０は、下片２５０に壁材７００を載置したときに、壁材７００を係止するためのダボピン７１０を通すために空けられる。
【００３１】
図１に示すように、支持金具２００の下片２５０には重量のある壁材７００が載置され、支持金具２００には壁材７００の荷重が掛かる。ある程度の期間この状態が継続されると、地震やその他の振動により徐々にボルト４００と小ネジ４４０との締結が緩み、長孔２２０が空いている範囲で支持金具２００の位置が下がっていく可能性がある。そこで、固定ネジ３００でボルト４００の頭側面４１２を押し付けてボルト４００が緩むのを抑えることにより、支持金具２００の位置が下がるのを防止する。
【００３２】
ボルト４００と小ネジ４４０が締め付けられている上に、支持金具２００から延びた固定ネジ３００でボルト４００を突っ張り、さらに固定ネジ３００の押さえによりボルト４００の回転（特に緩む方向への回転）が抑制されるので、壁面６００から延びたボルト４００に対する支持金具２００の下方への位置ズレ、すなわち壁材７００の位置ズレは無くなる。なお、ボルト４００と小ネジ４４０とを緩み止めの構造で留めればより効果的である。
【００３３】
固定ネジ３００は上方からボルト４００を押さえ付けるだけなので、支持金具２００の上方への位置ズレについては対象にしていないが、支持金具２００には壁材７００等の荷重が掛かっているので、上方への位置ズレは考慮する必要はない。しかし、支持金具２００の下方以外へも位置ズレの構造を設けても良い。
【００３４】
また、支持金具２００の下片２５０に壁材７００を載置することから、支持金具２００の縦片２１０にはできるだけ突出物がない方が良いので、ボルト４００の頭部４１０が表側に配されるよりは、頭の小さい小ネジ４４０を用いることが、スペースを有効に使う上では好ましい。
【００３５】
このように、タイル等の壁材がコンクリート等の壁面に対して乾式で取り付けられている場合に、壁材の荷重を受けている支持金具が震動等により弛んで位置ズレを起こすことを防止できる。支持金具に空けられた位置調整用のルーズホールに、壁面から延びたアンカーを通してネジ留めしていても、固定ネジがアンカーと支持金具とを押さえるため位置ズレが生じない。
【００３６】
以上、本発明の実施例を述べたが、これらに限定されるものではない。例えば、実施例ではボルトと小ネジの間に支持金具を挟んで固定しているが、支持金具にボルトを通してナットで締め付けて固定するような形態でも同様に適用することができる。
【符号の説明】
【００３７】
１００：変位防止金具
２００：支持金具
２１０：縦片
２２０：長孔
２３０：上片
２４０：上孔
２５０：下片
２６０：下孔
３００：固定ネジ
３１０：ダブルナット
４００：ボルト
４１０：頭部
４１１：頭頂面
４１２：頭側面
４２０：軸部
４３０：ネジ穴
４４０：小ネジ
４５０：ナット
５００：不陸調整金具
５１０：貫通孔
５２０：ビス
６００：壁面
６１０：埋込用穴
７００：壁材
７１０：ダボピン
【図１】
2018172864.tif 000003
【図２】
2018172864.tif 000004
【図３】
2018172864.tif 000005
【図４】
2018172864.tif 000006
【図５】
2018172864.tif 000007
【図６】
2018172864.tif 000008
【図７】
2018172864.tif 000009